(57)【特許請求の範囲】
【請求項１】
Ｎ個の中継器のそれぞれに、前記中継器によって中継されるチャンネルのデジタル放送信号を送信する送信装置において、
前記Ｎ個の中継器のそれぞれによって中継される各チャンネルで放送される番組の番組編成情報を保持する１式の保持手段と、
対応する１つの中継器に、その中継器によって中継されるチャンネルのデジタル放送信号を送信するＮ式の送信手段と
を備え、
Ｎ式の前記送信手段のそれぞれは、
前記番組編集情報から、対応する中継器によって中継されるチャンネルで放送される番組に関するチャンネル情報を抽出する抽出手段と、
前記チャンネル情報に基づいて、前記チャンネルで放送される番組のスケジュール情報を生成し、生成した前記スケジュール情報に基づいて、前記中継器によって中継されるチャンネルで放送される番組の素材情報を処理する処理手段と、
前記チャンネル情報に基づいてEPG情報を生成する生成手段と、
前記処理手段によって処理された前記素材情報と、前記生成手段で生成された前記EPG情報を合成する合成手段と、
前記合成手段により合成された情報を変調し、デジタル放送信号として、前記中継器に送信する変調手段と
を備えることを特徴とする送信装置。
【請求項２】
前記デジタル放送信号を臨時に送信するＭ式の臨時送信手段と、
前記送信手段のうちの所定のものに供給されている前記素材情報に対応する素材情報が、前記臨時送信手段の所定のものに供給されるように制御する制御手段と、
Ｎ式の前記送信手段の１つが故障したとき、Ｍ式の前記臨時送信手段の出力のいずれか１つを、故障した前記送信手段の出力のいずれか１つとして選択して前記処理手段に供給する選択手段と
を備えることを特徴とする請求項１に記載の送信装置。
【請求項３】
Ｎ個の中継器のそれぞれに、前記中継器によって中継されるチャンネルのデジタル放送信号を送信する送信装置であって、
前記Ｎ個の中継器のそれぞれによって中継される各チャンネルで放送される番組の番組編成情報を保持する保持手段と、
対応する１つの中継器に、その中継器によって中継されるチャンネルのデジタル放送信号を送信する送信手段と
を備える送信装置の送信方法において、
前記Ｎ個の中継器毎に、
前記番組編集情報から、対応する中継器によって中継されるチャンネルで放送される番組に関するチャンネル情報を抽出し、
前記チャンネル情報に基づいて、前記チャンネルで放送される番組のスケジュール情報を生成し、生成した前記スケジュール情報に基づいて、前記中継器によって中継されるチャンネルで放送される番組の素材情報を処理し、
前記チャンネル情報に基づいてEPG情報を生成し、
処理された前記素材情報と、生成された前記EPG情報を合成し、
合成された情報を変調し、デジタル放送信号として、前記中継器に送信する
ことを特徴とする送信方法。
【発明の詳細な説明】
【０００１】
【発明の属する技術分野】
本発明は、送信装置および方法に関し、特に、例えば、デジタルテレビジョン放送において、トランスポンダに対応したチェーンごとに放送情報を処理することにより、デジタル放送システムの拡張を容易にした送信装置および方法に関する。
【０００２】
【従来の技術】
図１０に、従来のデジタル放送装置の構成例を示す。
【０００３】
放送番組編成システム（以下BDPS(Broadcast Data Processing System)と略称する）２００は、番組提供会社ごとに設けられ、各番組提供会社が担当する放送番組に関する情報、例えば、番組のスケジュール情報、イベント（番組）の詳細情報であるイベント情報などを登録し、管理しているとともに、プログラムマネージメントシステム（以下PMS(Program Management System)と略称する）部２１０に、供給するようになされている。
【０００４】
PMS部２１０は、BDPS２００から供給された放送番組に関する情報からスケジュール情報などを抽出し、トランスポンダ２２０−１乃至２２０−Ｍ（以下、トランスポンダ２２０−１乃至２２０−Ｍを、個々に区別する必要がない場合、単にトランスポンダ２２０と記述する。他の装置においても同様である。）ごとに、PMS情報を生成し、所定の放送素材と共に、トランスポンダ２２０に伝送するようになされている。
【０００５】
電子番組ガイド（以下EPG(Electronic Program Guide)と略称する）部２３０は、PMS部２１０を介して供給された放送番組に関する情報からイベント情報などを抽出し、トランスポンダ２２０ごとに、EPG情報を生成し、トランスポンダ２２０に伝送するようになされている。
【０００６】
このように、それぞれPMS部２１０およびEPG部２３０が、トランスポンダ２２０に対応して放送情報を処理し、それを伝送するような構成を有するデジタル放送システムにおいて、例えば、トランスポンダを増設する場合、PMS部２１０およびEPG部２３０を再構築する必要がある。
【０００７】
【発明が解決しようとする課題】
現在、MPEG2(Moving Picture Experts Group Phase2)に代表される符号化方式による衛星放送、例えば、北米のDIRECTＴＶ（商標）や日本国内のPERFECTＴＶ（商標）などでは、１００チャンネルを超える多チャンネル放送が可能とされるが、今後、さらにチャンネル数が増加することが予想される。上記例の従来のデジタル放送システムにおいては、PMS部２１０およびEPG部２３０を再構築することにより、対応することができるが、すでに多チャンネルに対応するために構築されて大規模な装置となっているPMS部２１０およびEPG部２３０を再構築することは、多大な手間を要する。
【０００８】
本発明はこのような状況に鑑みてなされたものであり、装置を再構築することなく、トランスポンダの増設などの放送システムの拡張を容易にするものである。
【０００９】
【課題を解決するための手段】
請求項１に記載の送信装置は、Ｎ個の中継器のそれぞれによって中継される各チャンネルで放送される番組の番組編成情報を保持する１式の保持手段と、対応する１つの中継器に、その中継器によって中継されるチャンネルのデジタル放送信号を送信するＮ式の送信手段とを備え、Ｎ式の送信手段のそれぞれは、番組編集情報から、対応する中継器によって中継されるチャンネルで放送される番組に関するチャンネル情報を抽出する抽出手段と、チャンネル情報に基づいて、チャンネルで放送される番組のスケジュール情報を生成し、生成したスケジュール情報に基づいて、中継器によって中継されるチャンネルで放送される番組の素材情報を処理する処理手段と、チャンネル情報に基づいてEPG情報を生成する生成手段と、処理手段によって処理された素材情報と、生成手段で生成されたEPG情報を合成する合成手段と、合成手段により合成された情報を変調し、デジタル放送信号として、中継器に送信する変調手段とを備えることを特徴とする。
【００１０】
請求項３に記載の送信方法は、Ｎ個の中継器毎に、番組編集情報から、対応する中継器によって中継されるチャンネルで放送される番組に関するチャンネル情報を抽出し、チャンネル情報に基づいて、チャンネルで放送される番組のスケジュール情報を生成し、生成したスケジュール情報に基づいて、中継器によって中継されるチャンネルで放送される番組の素材情報を処理し、チャンネル情報に基づいてEPG情報を生成し、処理された素材情報と、生成されたEPG情報を合成し、合成された情報を変調し、デジタル放送信号として、中継器に送信することを特徴とする。
【００１１】
請求項１に記載の送信装置および請求項３に記載の送信方法においては、Ｎ個の中継器毎に、番組編集情報から、対応する中継器によって中継されるチャンネルで放送される番組に関するチャンネル情報が抽出され、チャンネル情報に基づいて、チャンネルで放送される番組のスケジュール情報が生成され、生成したスケジュール情報に基づいて、中継器によって中継されるチャンネルで放送される番組の素材情報が処理され、チャンネル情報に基づいてEPG情報が生成され、処理された素材情報と、生成されたEPG情報が合成され、合成された情報が変調され、デジタル放送信号として、中継器に送信される。
【００１３】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１４】
請求項１に記載の送信装置は、Ｎ個の中継器のそれぞれによって中継される各チャンネルで放送される番組の番組編成情報を保持する１式の保持手段（例えば、図３のNMD１１）と、対応する１つの中継器に、その中継器によって中継されるチャンネルのデジタル放送信号を送信するＮ式の送信手段（例えば、図３のチェーン１２）とを備え、Ｎ式の送信手段のそれぞれは、番組編集情報から、対応する中継器によって中継されるチャンネルで放送される番組に関するチャンネル情報を抽出する抽出手段（例えば、図３のPGS２１）と、チャンネル情報に基づいて、チャンネルで放送される番組のスケジュール情報（例えば、図４）を生成し、生成したスケジュール情報に基づいて、中継器によって中継されるチャンネルで放送される番組の素材情報を処理する処理手段（例えば、図３のPGS２１、ECS２３、エンコード部３０）と、チャンネル情報に基づいてEPG情報を生成する生成手段（例えば、図３のPGS２１、EPG-FC２４）と、処理手段によって処理された素材情報と、生成手段で生成されたEPG情報を合成する合成手段(例えば、図３のMCS２５とMUX部４０)と、合成手段により合成された情報を変調し、デジタル放送信号として、中継器に送信する変調手段（例えば、図３のIFシステム６）とを備えることを特徴とする。
【００１５】
請求項２に記載の送信装置は、デジタル放送信号を臨時に送信するＭ式の臨時送信手段（例えば、図６のGR９０）と、送信手段のうちの所定のものに供給されている素材情報に対応する素材情報が、臨時送信手段の所定のものに供給されるように制御する制御手段（例えば、図６のMRC７１）と、Ｎ式の送信手段の１つが故障したとき、Ｍ式の臨時送信手段の出力のいずれか１つを、故障した送信手段の出力のいずれか１つとして選択して処理手段に供給する選択手段（例えば、図６のIFスイッチ８０）とを備えることを特徴とする。
【００１６】
図１は、本発明を適用したデジタル放送システムの構成例を示している。
【００１７】
放送番組編成システム（以下BDPS(Broadcast Data Processing System)と略称する）１は、番組供給会社が担当する放送素材（本編素材、ＣＭ素材、およびプロモーション素材）の番組編成表を登録し、管理するとともに、その番組編成表に基づく所定の情報を、セントラルプロセッシングシステム３に送信するようになされている。
【００１８】
ベースバンドシステム２は、放送素材そのものを格納し、その放送素材を、ベースバンド信号に変換し、セントラルプロセッシングシステム３から供給される所定の情報に基づいて、セントラルプロセッシングシステム３に供給するようになされている。
【００１９】
セントラルプロセッシングシステム３は、BDPS１から送出された情報から顧客管理システム（以下SMS(Subscriber Management System)と略称する）４とベースバンドシステム２に対応する情報を、それぞれ抽出し、SMS４とベースバンドシステム２に供給し、また、BDPS１、ベースバンドシステム２、および顧客視聴許可システム（以下SAS(Subscriber Authorization System)と略称する）５から送出される情報を、図示せぬ衛星の複数のトランスポンダに対応するチェーンごとに多重化し、ＩＦシステム６に送信するようになされている。
【００２０】
ＩＦシステム６は、セントラルプロセッシングシステム３から送信された多重化信号を、QPSK変調してＩＦ信号に変換し、さらにＲＦ信号に変換して、図示せぬ衛星に伝送するようになされている。
【００２１】
SMS４は、顧客登録情報や料金徴収情報などの顧客管理に関する情報を格納するようになされており、SAS５は、SMS４から送出されたEMM（Entitlement Management Message)データを受け取り、そのEMMデータを暗号化し、さらにパケット化し、セントラルプロセッシングシステム３に送出するようになされている。
【００２２】
次に、図２を参照して、BDPS１、ベースバンドシステム２、セントラルプロセッシングシステム３、およびＩＦシステム６との間で取り扱われる情報について説明する。
【００２３】
BDPS１−１乃至１−Ｌは、番組供給会社ごとに設けられ、各番組供給会社が担当する放送素材の番組編成表を作成して登録し、管理している。この番組編成表は、例えば、番組提供会社に関する情報などが記録されているサービス情報、１時間単位の放送番組の詳細情報が記録されているイベント情報、１５秒単位の放送番組のタイムスケジュールなどの情報が記録されている運行情報、およびシリーズで放送される番組（数回に分けて放送される番組）に関する情報等が記録されているＰＰＳ情報に分けられて、セントラルプロセッシングシステム３に供給されるようになされている。
【００２４】
セントラルプロセッシングシステム３は、ネットワークマネージメントデータベース（以下NMD(Network Management Database)と略称する）１１とチェーン１２−１乃至１２−Ｍから構成されており、NMD１１は、BDPS１−１乃至１−Ｌから送信された番組編成情報（サービス情報、イベント情報、運行情報、およびＰＰＳ情報）を受け取り、保持するとともに、チェーン１２−１乃至１２−Ｍに分配し、また運行情報をベースバンドシステム２に送信するようになされている。チェーン１２−１乃至１２−Ｍは、NMD１１から送信された情報と、ベースバンドシステム２から送信されるベースバンド信号を、図示せぬ衛星のＭ個のトランスポンダに対応して多重化し、ＩＦシステム６に送信するようになされている。
【００２５】
ベースバンドシステム２は、NMD１１から供給された運行情報に基づいて、ベースバンド信号に変換した放送素材を、セントラルプロセッシングシステム３のチェーン１２に送信するようになされている。
【００２６】
図３に、セントラルプロセッシングシステム３およびＩＦシステム６のより具体的な構成例を示す。
【００２７】
NMD１１は、トランクLAN３１１を介して、BDPS１およびベースバンドシステム２に接続され、さらに、PGS-LAN３１２を介して、SMS４、SAS５、各チェーン１２−１乃至１２−Ｍのプログラムガイドシステム（以下PGS(Program Guide System)と略称する）２１に接続されている。NMD１１は、主に、図示せぬ入力端末とパーソナルコンピュータから構成されており、所定の情報をBDPS１から受け取り、図示せぬ入力端末から入力される情報ととともに保持し、所定の情報をSMS４、各チェーン１２−１乃至１２−Ｍに分配するようになされている。
【００２８】
チェーン１２−１乃至１２−Ｍは、NMD１１から分配された番組編成情報に基づいて、ベースバンドシステム２から供給される放送素材を処理し、図示せぬ衛星のトランスポンダに出力するようになされている。チェーン１２−１乃至１２−Ｍの一部は、セントラルプロセッシングシステム３を構成し、他の一部は、ＩＦシステム６を構成している。
【００２９】
PGS２１は、PGS-LAN３１２を介してNMD１１、SMS４、およびSAS５に接続され、さらに、チェーンコントロールLAN２２を介してエンコーダコントロールサブシステム（以下ECS(Encoder Control Subsystem)と略称する）２３、電子番組ガイドフローコントローラ（以下EPG-FC(Electronic Program Guide-Flow Controller)と略称する）２４、およびマルチプレクサコントロールサブシステム（以下MCS(Multiplexer Control Subsystem)と略称する）２５に接続されている。
【００３０】
PGS２１は、主に、図示せぬ入力端末とパーソナルコンピュータから構成されており、NMD１１より所定の情報を入手し、ECS２３、EPG-FC２４、およびMCS２５に、それぞれ対応する情報を送出するようになされている。ECS２３は、例えばパーソナルコンピュータで構成され、PGS２１から送出された情報に基づいて、エンコード部３０を制御するようになされている。
【００３１】
エンコード部３０は、８チャンネル分のエンコーダ３１乃至エンコーダ３８、およびマルチプレクサ３９により構成されているが、ベースバンドシステム２からは、７チャンネル分のベースバンド信号が送信されるようになされており、その７チャンネル分のベースバンド信号を、エンコーダ３１乃至エンコーダ３８の中の７つのエンコーダで符号化し、符号化した信号をマルチプレクサ３９で多重化し、多重化した信号をマルチプレクサ部（以下MUX(Multiplexer)部と略称する）４０に出力する。
【００３２】
EPG-FC２４は、例えばパーソナルコンピュータで構成され、PGS２１から送出された所定の情報（EPG情報）を、MUX部４０に出力する。MCS２５は、例えばパーソナルコンピュータで構成され、PGS２１から送出された情報に基づいてMUX部４０を制御するようになされている。
【００３３】
MUX部４０は、２つのマルチプレクサ（MUX４１とMUX４２）から構成されている。エンコード部３０は、同一の２つの信号を出力し、EPGーFC２４も同様に、同一の２つの信号を出力する。エンコード部３０から出力される一方の信号およびEPG-FC２４から出力される一方の信号は、MUX４１に入力され、それぞれ他方の信号はMUX４２に入力される。MUX４１とMUX４２は、それぞれの入力を多重化し、ＩＦシステム６のQPSK変調部５０に出力する。
【００３４】
ＩＦシステム６のQPSK変調部５０は、QPSK変調器５２およびQPSK変調器５３から構成されている。MUX４１から出力される多重化信号は、QPSK変調器５２に入力され、MUX４２から出力される多重化信号は、QPSK変調器５３に入力される。QPSK変調器５２およびQPSK変調器５３は、それぞれ入力された多重化信号をQPSK変調し、ＩＦスイッチ５４に出力する。
【００３５】
ＩＦスイッチ５４は、QPSK変調器５２またはQPSK変調器５３から出力されるQPSK変調信号を選択し、増幅器５５に出力する。増幅器５５は、図示せぬアップコンバータおよびハイパワーアンプにより構成され、ＩＦスイッチ５４で選択されたQPSK変調信号を、増幅し、アンテナ５６を介して、図示せぬ衛星に出力する。但し、実際には、各チェーン１２−１乃至１２−Ｍの出力がさらに多重化されて、衛星に出力される。従ってこの例では、Ｍ個のトランスポンダに対応する信号が出力される。
【００３６】
次に、PGS２１における情報処理について、図４を参照して、説明する。NMD１１には、すべてのチャンネル分のBDPS１から供給されたサービス情報、イベント情報、運行情報、およびＰＰＳ情報、並びにNMD１１の入力端末から入力されたコンフィグレーション情報が格納されている。PGS２１は、その属するチェーン１２に対応するチャンネルの情報を、NMD１１から入手し、その入手した情報に基づいて、EPGプロセス情報およびスケジュールプロセス情報を生成する。EPGプロセス情報は、番組素材およびＣＭ素材のイベント（番組）リストと、そのイベントの詳細が示されたイベント情報などであり、EPG-FC２４に供給される。スケジュールプロセス情報は、１日分の番組放送予定情報などであり、ECS２３およびMCS２５に供給される。
【００３７】
図５は、NMD１１に格納される情報の構成を示す。NMD１１は、BDPS１から供給された放送情報、並びにSAS５からのワークキーテーブル情報およびＣＡシステム情報の今日と明日の２日分の情報と、イベント情報のあさって以降の７日分の情報を、チャンネルごとに格納している。また、NMD１１の図示せぬ端末から入力されたコンフィグレーション情報は、一括して格納されている。
【００３８】
PGS２１は、その属するチェーン１２に対応する図示せぬ衛星の１個のトランスポンダに出力するチャンネル分、いまの場合、７チャンネル分の情報とコンフィグレーション情報をNMD１１より取得し、格納している。
【００３９】
次に、図３に示す構成例の動作を説明する。
【００４０】
BDPS１は、登録されている放送素材に基づいて、放送情報（サービス情報、イベント情報、ＰＰＳ情報、運行情報）を作成し、NMD１１に送出する。NMD１１は、BDPS１から供給された情報を格納し、またBDPS１から送出された情報からSMS４に必要な情報を抽出し、その情報とNMD１１の図示せぬ入力端末から入力されたコンフィギュレーション情報を格納している。さらに、NMD１１は、SAS５から、MUX部４０を設定するのに必要なワークキーテーブルファイルおよびＣＡ(Conditional Access)システムデータファイルを読み出し、格納している。SMS４は、定期的にNMD１１にアクセスし、NMD１１に格納されているSMS４に対応する情報を読み出す。
【００４１】
PGS２１は、上述したようにNMD１１から収得した情報を、ECS２３、EPG-FC２４、およびMCS２５に供給するが、ECS２３は、１日分の放送番組の運行情報を、放送される２日前に、PGS２１から入手するとともにそれを保持し、放送される２時間前に、１時間分のエンコーダスケジュールを保持している情報から読みだし、エンコード部３０に供給する。エンコード部３０は、ECS２３から供給されたエンコーダスケジュールに基づいて、ベースバンドシステム２から入力されるベースバンド信号を、エンコーダ３１乃至エンコーダ３８で符号化し、符号化された信号をマルチプレクサ３９で多重化し、多重化した信号をMUX部４０に出力する。
【００４２】
いまの場合、１つのトランスポンダに最大７つの番組（チャンネル）が供給され、ベースバンドシステム２からは、７つの番組の情報に対応する７つのベースバンド信号がエンコード部３０に供給されるものとする。エンコード部３０のエンコーダ３１乃至エンコーダ３８の８つのエンコーダのうち、７つのエンコーダがベースバンド信号を符号化する。１つ余ったエンコーダは、７つのエンコーダのうち１つが故障したとき代わりに符号化を実行するようになされている。エンコーダ３１乃至エンコーダ３８の故障検出、またはエンコーダの入れ替え処理は、エンコード部３０内において適宜、実行される。
【００４３】
EPG-FC２４は、例えば、デジタル衛星放送におけるサービス情報を、PGS２１から入手する。EPG-FC２４は、図示せぬインターフェースを介し、PGS２１から入手したサービス情報を、セッション化し、パケット化し、ソケット通信により、MUX部４０に出力する。
【００４４】
MCS２５は、例えば、１日分の放送番組のイベント情報を、放送される２日前に、PGS２１から入手するとともにそれを保持し、放送される２時間前に、１時間分のマルチプレクサスケジュールとマルチプレクサ設定情報を保持している情報から読み出し、MUX部４０に供給する。MUX部４０では、MUX４１またはMUX４２のうち、マルチプレクサ設定情報に指定された方が、マルチプレクサスケジュールに基づいて、エンコード部３０から出力された信号、およびEPG-FC２４から出力された信号を多重化し、ＩＦシステム６に出力する。MUX４１またはMUX４２のうち、指定されていない方は、指定された方が故障したとき代わりに多重化を行う。
【００４５】
QPSK変調部５０のQPSK変調器５２およびQPSK変調器５３は、MUX部４０のMUX４１またはMUX４２から出力された多重化信号をそれぞれQPSK変調し、ＩＦスイッチ５４に出力する。
【００４６】
QPSK変調部５０において、MUX部４０と同様に、２つのQPSK変調器（QPSK変調器５２およびQPSK変調器５３）が配置されており、一方は他方が故障したとき代わりに、QPSK変調を行うようになされている。
【００４７】
ＩＦスイッチ５４は、QPSK変調部５０のQPSK変調器５２とQPSK変調器５３の一方から出力されたQPSK変調信号を選択し、増幅器５５に出力する。増幅器５５は、アップコンバータおよびハイパワーアンプにより、ＩＦスイッチ５４からのQPSK変調信号を１４ＧＨzに周波数シフトして増幅し、アンテナ５６を介して、衛星に出力する。
【００４８】
このように、トランスポンダごとに、つまり、数チャンネル分の放送情報と放送素材を多重化し、伝送する小規模なチェーンを有する構造は、トランスポンダを増やす場合、そのトランスポンダに対応するチェーンを増設することによって対応でき、デジタル放送システムの拡張を容易にする。PGS２１が、NMD１１に格納されている情報を取得するようになされているので、NMD１１の主な機能はBDPS１から供給される情報の保持であり、トランスポンダの増加に伴い保持する情報は増加するが、再構築が必要となる機能を有していない。そのため、単に、チェーンを増設することによって、トランスポンダの増設のような放送システムの拡張に対応できる。
【００４９】
このチェーン構造を利用して、通常は、使用しないチェーンを設けておき、駆動しているチェーンに故障が発生したとき、それと入れ代わるようにしておくことより、冗長性の高い放送システムを構築することができる。以下には、この点を考慮した構成例について説明する。
【００５０】
図６に、本発明を適用したデジタル放送システムの他の構成例を示す。なお、図３における場合と対応する部分については、同一の符号を付してあり、以下では、その説明は適宜省略する。
【００５１】
セントラルプロセッシングシステム３のPGS２１、ECS２３、EPG-FC２４、MCS２５、エンコード部３０、MUX部４０、サブリダンダントコントローラ（以下SRC(Subredundant Controller)と略称する）５８、およびＩＦシステム６は、衛星のＭ個のトランスポンダに対応するチェーン６０を構成する。いまの場合、Ｍ＝４とし、４つのチェーン６０−１乃６０−４が存在し、これをノーマルチェーンと称する。
【００５２】
セントラルプロセッシングシステム３において、NMD１１は、トランクLAN３１１を介して、BDPS１およびベースバンドシステム２に接続され、さらに、PGS-LAN３１２を介してマスターリダンダントコントローラ（以下MRC(Master Redundant Controller)と略称する）７１、SMS４、SAS５、およびチェーン６０−１乃至６０−４のPGS２１に接続されている。
【００５３】
MRC７１は、PGS-LAN３１２を介して、NMD１１、SMS４、SAS５、およびチェーン６０−１乃至６０−４のPGS２１に接続され、さらに、モニターLAN７２を介して、チェーン６０−１乃至６０−４のSRC５８に接続されている。MRC７１は、主に、図示せぬ入力端末、パーソナルコンピュータ、およびアラームを出力するスピーカから構成されており、所定の情報をNMD１１およびSRC５８から取得し、保持するとともに、NMD１１およびSRC５８に所定の情報を供給するようになされている。
【００５４】
SRC５８は、例えばパーソナルコンピュータで構成され、PGS２１から所定の情報を取得し、また、MRC７１から送出される情報をPGS２１に供給し、さらに、所定の情報をMRC７１に供給するようになされている。
【００５５】
ＩＦシステム６のＩＦスイッチ８０は、QPSK変調器選択スイッチ８１、チェーン選択スイッチ８２、およびGRスイッチ８３から構成されており、QPSK変調器選択スイッチ８１は、QPSK変調部５０のQPSK変調器５２またはQPSK変調器５３から出力されたQPSK変調信号を選択するようになされている。
【００５６】
チェーン選択スイッチ８２は、ノーマル側が選択されるたとき、チェーン６０のQPSK変調部５０から出力されるQPSK変調信号を増幅器５５に出力し、また、GR側が選択されたとき、グローバルリダンダントチェーン（GR９０とGR９１）から出力されるQPSK変調信号を増幅器５５に供給する。
【００５７】
GRスイッチ８３は、チェーン選択スイッチ８２においてGR側が選択され、GRスイッチ８３のGR９０側が選択されたとき、GR９０から出力されるQPSK信号を増幅器５５に供給し、GRスイッチ８３のGR９１側が選択されたとき、GR９１から出力されるQPSK変調信号を増幅器５５に供給する。
【００５８】
グローバルリダンダントチェーン（GR９０とGR９１）は、ノーマルチェーン（チェーン６０−１乃至６０−４）の中のいずれかが、故障したとき代わりに使用される。
【００５９】
図７に、グローバルリダンダントチェーンのGR９０の構成例を示す。
【００６０】
GR９０は、基本的に、チェーン６０とほぼ同様の構成を有しており、図６のチェーン６０の構成例と対応する部分については、同一の符号を付してあり、以下では、その説明は適宜省略する。また、GR９１はGR９０と同一の構成を有しているので、GR９１の構成例の説明は省略する。
【００６１】
ＩＦスイッチ１００は、QPSK変調部５０のQPSK変調器５２またはQPSK変調器５３からのQPSK変調信号を選択し、分配器１１０に出力している。分配器１１０は、ＩＦスイッチ１００からのQPSK変調信号を、ノーマルチェーン（チェーン６０−１乃至チェーン６０−４）のGRスイッチ８３に分配している。
【００６２】
リダンダントルータ１２０は、ベースバンドシステム２からノーマルチェーンのエンコード部３０に送出されているベースバンド信号と同一の信号を、グローバルリダンダントチェーンのエンコード部３０に分配している。
【００６３】
次に、グローバルリダンダントチェーンのGR９０がチェーン６０−１と入れ替わる動作例を、図８に示すフローチャートを参照し、説明する。
【００６４】
ステップＳ１において、ノーマルチェーン（チェーン６０−１乃至６０−４）のどれかが故障した場合、所定の方法により、その故障が検出され、故障が発生したチェーン番号が、図示せぬSEC-NETを介して、MRC７１に送信される。いまの場合、チェーン６０−１のMRC２５において故障が発生したものとする。
【００６５】
次に、ステップＳ２において、故障が発生したチェーンの番号を受信したMRC７１は、図示せぬスピーカを介して、デジタル放送装置に故障が発生したことをオペレータに通知する。また同時に、MRC７１は、図示せぬ表示部に図９に示すGR対応ファイルを表示し、故障したチェーンの番号をオペレータに通知する。チェーン６０−１のチェーン番号は１とする。
【００６６】
次に、ステップＳ３において、デジタル放送装置が故障したことを認知したオペレータは、MRC７１の図示せぬ表示部に表示されたGR対応ファイルに所定の情報を入力し、故障が発生したチェーン６０−１と入れ替わるグローバルリダンダントチェーン（GR９０またはGR９１）を選定し、GR対応ファイルを作成する。いまの場合、オペレータは、チェーン６０−１とGR９０とを入れ替えるものとし、GR対応ファイルのＸの所に１を入力する。
【００６７】
図９のGR対応ファイルのＸの所に、オペレータが、ノーマルチェーンのいずれかのチェーン番号を入力すると、GR９０は番号が入力されたチェーンと入れ替わり、図中のＹの所にノーマルチェーンのどれかのチェーン番号を入力すると、GR９１は番号が入力されたチェーンと入れ替わるようになる。
【００６８】
次に、ステップＳ４において、MRC７１は、ステップＳ３で作成されたGR対応ファイルを、NMD１１に送出する。
【００６９】
次に、ステップＳ５において、NMD１１はGR対応ファイルを受信し、ステップＳ６においては、GR対応ファイルの情報に基づいて、NMD１１は、GR９０のPGS２１に、チェーン６０−１に関する情報をNMD１１から取得するように、PGS-LAN３１２を介して、指示する。
【００７０】
次に、ステップＳ７において、NMD１１の指示に基づいて、GR９０のPGS２１は、チェーン６０−１に関する情報をNMD１１から取得する。GR９０のPGS２１がチェーン６０−１に関する情報を取得した時点で、GR９０は駆動し、GR９０はチェーン６０−１に対応する多重化信号を、GR９０の分配器１１０を介し、ノーマルチェーン（チェーン６０−１乃至６０−４）のＩＦスイッチ８０のGRスイッチ８３に出力しはじめる。
【００７１】
次に、ステップＳ８において、GR９０のSRC５８は、GR９０のPGS２１がNMD１１から所定の情報を入力し終えたことを確認すると、そのことをMRC７１に通知する。
【００７２】
次に、ステップＳ９において、MRC７１は、図示せぬスピーカを介して、オペレータにチェーン６０−１のＩＦスイッチ８０の操作が可能であることを通知する。
【００７３】
ステップＳ１０おいては、オペレータは、チェーン６０−１のチェーン選択スイッチ８２をGR側に設定し、次に、ステップＳ１１において、GRスイッチ８３をGR９０側に設定する。このことより、GR９０からのQPSK変調信号が、チェーン６０−１の増幅器５５に供給され、アンテナ５６を介して、図示せぬ衛星に伝送される。
【００７４】
以上のようにして、ノーマルチェーンに故障が発生した場合、グローバルリダンダントチェーン（GR９０またはGR９１）は、故障したノーマルチェーンの情報を直ちに入手し、故障したノーマルチェーンに入れ替わって、放送を図示せぬ衛星の所定のトランスポンダに伝送する。
【００７５】
上記例の場合、グローバルリダンダントチェーンにより、放送は正常に供給されているため、故障したノーマルチェーンは、故障状態を保持しておくことができ、故障の原因調査が容易になる。
【００７６】
さらに、２つのグローバルリダンダントチェーン（GR９０およびGR９１）は、複数のノーマルチェーンをバックアップすることもでき、または、グローバルリダンダントチェーン（GR９０およびGR９１）同士をバックアップすることもできる。
【００７７】
また、グローバルリダンダントチェーンを用いて、装置およびプログラムのバージョンアップを予め評価し、ノーマルチェーンに導入することができる。
【００７８】
さらに、プロモーション専用サービスのバックアップとしてグローバルリダンダントチェーンを用いることができる。
【００７９】
なお、上記したような処理を行うコンピュータプログラムをユーザに提供する提供媒体としては、磁気ディスク、CD-ROM、固体メモリなどの記録媒体の他、ネットワーク、衛星などの通信媒体を利用することができる。
【００８０】
【発明の効果】
本発明によれば、装置を再構築することなく、トランスポンダの増設などの放送システムの拡張に対応することができる。
【図面の簡単な説明】
【図１】本発明を適用したデジタル放送システムの構成例を示すブロック図である。
【図２】図１のBDPS１、ベースバンドシステム２、セントラルプロセッシングシステム３、およびＩＦシステム６との間で取り扱われる情報を説明する図である。
【図３】図１のセントラルプロセッシングシステム３およびＩＦシステム６のより具体的な構成例を示すブロック図である。
【図４】  PGS２１における情報処理について説明する図である。
【図５】  NMD１１に格納されている情報の構成を示す図である。
【図６】本発明を適用したデジタル放送システムの他の構成例を示すブロック図である。
【図７】図６のグローバルリダンダントチェーンのGR９０の構成例を示すブロック図である。
【図８】図６のデジタル放送システムの動作例を示すフローチャートである。
【図９】  GR対応ファイルの内容を表す図である。
【図１０】従来のデジタル放送システムの構成例を示すブロック図である。
【符号の説明】
１  放送番組編成システム，  ２  ベースバンドシステム，  ３  セントラルプロセッシングシステム，  ４  顧客管理システム，  ５  顧客視聴許可システム，  ６  ＩＦシステム，  １１  NMD，  １２  チェーン，  ２１  PGS，  ２２チェーンコントロールLAN，  ２３  ECS，  ２４  EPG-FC，  ２５  MCS，  ３０  エンコード部，  ３１  エンコーダ，  ３２  エンコーダ，  ３３  エンコーダ，  ３４  エンコーダ，  ３５  エンコーダ，  ３６  エンコーダ，  ３７  エンコーダ，  ３８  エンコーダ，  ３９  マルチプレクサ，  ４０  MUX部，  ４１  MUX，  ４２  MUX，  ５０  QPSK変調部，  ５２  QPSK変調器，  ５３  QPSK変調器，  ５４  ＩＦスイッチ，  ５５  増幅器，  ５６  アンテナ，  ５８  SRC，  ６０  チェーン，  ７１  MRC，  ７２  モニターLAN，  ８０  ＩＦスイッチ，  ８１  QPSK変調器選択スイッチ，  ８２  チェーン選択スイッチ，  ８３  GRスイッチ，  ９０  GR，  ９１  GR，  １００  ＩＦスイッチ，  １１０  分配器，  １２０  リダンダントルータ，  ２００  放送番組編成システム，  ２１０  PMS部，  ２２０  トランスポンダ，  ２３０  EPG部，３１１  トランクLAN，  ３１２  PGS-LAN
【図１】
0003859100.tif 000002
【図２】
0003859100.tif 000003
【図３】
0003859100.tif 000004
【図４】
0003859100.tif 000005
【図５】
0003859100.tif 000006
【図６】
0003859100.tif 000007
【図７】
0003859100.tif 000008
【図８】
0003859100.tif 000009
【図９】
0003859100.tif 000010
【図１０】
0003859100.tif 000011